(57)【特許請求の範囲】
【請求項１】
パネル枠の外側に間隔をおいて外側面に摩擦材が貼り付けてある外枠が設けてあり、この外枠の内側面に穴が設けてあり、この穴内に外枠を外方に付勢するコイルスプリングが設置されており、コイルスプリングの中心空間にパネル枠に設けた出没自在なガイドが設けてあり、この出没自在なガイドは、パネル枠に設けた貫通穴に内ネジを設けた円筒部材と、先端にゴムからなる緩衝材が設けてあるネジ付き棒材とからなるものであって、ネジ付棒材を回転することによってガイドの出没量を調整できるものであり、外枠をコイルスプリングの弾発力に抗してパネル枠に近づけた状態を維持するためのパネル枠と外枠を結ぶラチェットからなるストッパーが設けてある移動可能な間仕切り壁。
【請求項２】
請求項１において、パネル枠の両面の外周面に遮音パネルが固定してある移動可能な間仕切り壁。
【請求項３】
請求項１〜２のいずれかの移動可能な間仕切り壁の設置方法であって、出没自在なガイドのネジ付棒を回転して出没量を調整してコイルスプリングの弾発力を調整し、外枠をパネル枠側に押してストッパーで外枠を固定して所定の場所に設置し、ストッパーを解除してコイルスプリングの弾発力によって外枠に外方に広がる力を与えて固定する間仕切り壁の設置方法。
【発明の詳細な説明】
【技術分野】
【０００１】
本発明は、設置場所を適宜に変更することが可能とした移動可能な間仕切り壁に関する。
【背景技術】
【０００２】
住宅においては、ライフステージやライフスタイルの変化に応じて部屋の大きさを変更する必要が生じる。また、店舗や事務所においても業態の変更や従業員の増減に応じて間取りを変更する必要が生ずる。そのため、間仕切り壁を撤去可能なものとし、必要に応じて間仕切り壁を撤去または移動して間取りを変更することがおこなわれており、間仕切り壁の周辺部に固定手段を設けた撤去可能な間仕切り壁や移動可能な間仕切り壁が種々提案されている。
【０００３】
特許文献１（特開平０９−１３５５５号公報）には、天井面または床面に傷を与えずに簡単に取り付け、取り外しができる間仕切り壁が開示されている。これは、壁パネルの下端に鉄板で補強したゴムからなる圧接部材をボルトを利用して壁パネルに対して上下動可能に設け、圧接部材を天井と床に押圧して間仕切り壁を固定するものである。
【０００４】
特許文献２（特開２０００−１８６３８５）には、同様の目的で、間仕切り壁を支持すると共に手摺りともなる支柱が開示されている。支柱の上下端には断面Ｔ字型の圧着部材が逆ネジで上下動可能に取り付けてあり、圧着部材を天井と床に押しつけて支柱を固定し、間仕切り壁を固定するようにしている。  
【特許文献１】特開平０９−１３５５５号公報
【特許文献２】特開２０００−１８６３８５号公報
【発明の開示】
【発明が解決しようとする課題】
【０００５】
従来の移動可能な間仕切り壁は、可動部材を床と天井に押しつけて固定したり、固定金具等で移動しないように固定するものが多いが、撤去することを前提としているため強固に固定することができず、遊んでいる子供が衝突したりすると、固定力が大きな衝撃に耐えることができず、間仕切り壁が移動したり、固定が外れて転倒するということがあった。
【０００６】
また、固定金具を使用した場合は、ネジや釘のあとが壁面や天井に残り、撤去後に穴埋めや、壁紙の張替等の補修が必要であった。
更に、強固な固定を得ようとすると、そのために複雑な機構が必要となって部品点数が多くなり、製造工程が多くなると共に、組立精度が要求されるため、結果的に高価となる。また、機構が複雑なものは不具合が起きる確率が高くなる。
本発明は、単純な機構であって、組立精度を必要とせずに強固に固定力が得られるようにするものである。
【課題を解決するための手段】
【０００７】
パネル枠の外側に間隔をおいて外側面に摩擦材が貼り付けてある外枠が設けてあり、この外枠とパネル枠の間に弾性体が設置されており、外枠を弾性体の弾発力に抗してパネル枠に近づけた状態を維持するストッパーを設けたものである。
また、パネル枠の外側に間隔をおいて外側面に摩擦材が貼り付けてある外枠が設けてあり、この外枠の内側面に穴が設けてあってコイルスプリングが設置されており、外枠をコイルスプリングの弾発力に抗してパネル枠に近づけた状態を維持するストッパーを設けたものである。
【発明の効果】
【０００８】
本発明のパネルの据え付けは、外枠とパネル枠の間に設けてある弾性体を圧縮して外枠をパネル枠に近づけて間仕切り壁の高さや幅を設置場所より小さくし、間仕切り壁を設置場所に搬入して直立させ、弾性体の圧縮を解放することによって外枠を弾性体の弾発力によって天井や床または側壁部に押し付けて強固に固定するものである。
温度や湿度の変化によって部屋全体または間仕切り壁が膨張・収縮して隙間が生じても、弾性体の弾発力によって外枠が常に外方に付勢されているため床や天井に押し付けられ、間仕切り壁は強固に固定されるので、固定具の調節が不要である。
【発明を実施するための最良の形態】
【０００９】
実施例１
図１の正面図及び図２の平面図に示すように、パネル枠１は４０×４０（ｍｍ）の角材を四角形に組んだものであり、パネル枠１の内側には縦と横の桟１０が設けてある。パネル枠１の外側面には図３に示すように直径２１ｍｍの貫通穴１２が設けてあり、この貫通穴１２にガイド２がパネル枠１に対して出没自在に設けてある。
ガイド２は、図３に示すように、プラスチック製であって、ベース２１と一体に成形してある円筒部材２２からなり、円筒内部には内ネジが設けてあり、更に円筒部材２２にネジ込まれている棒材２３からなり、ベース２１がビスでパネル枠１に固定されている。棒材２３を回転することよってパネル枠１から外側に突出する長さを調節できる。棒材２３の外枠３側の先端には緩衝のためのゴム２４が設けてある。
【００１０】
外枠３は、パネル枠１と同様の４０×４０（ｍｍ）の角材で構成され、パネル枠１の外側に配置されるものであって、外側面にはゴムや滑り止めテープなどの摩擦材３０が貼り付けてある。外枠３には、パネル枠１の貫通穴１２に対応する位置に直径２８ｍｍ、深さ１０ｍｍの凹部３１が設けてあり、この凹部３１には弾性材であるコイルスプリング４が設置してある。コイルスプリング４は、外枠３をその弾発力によって外方に付勢して間仕切り壁を間仕切り壁の上下に位置する床や壁、または、側方の柱等に押圧固定するものであり、間仕切り壁の大きさや、設計外力に応じて適宜の弾発力が得られるものを選択する。
【００１１】
コイルスプリング４の中心空間にパネル枠１に設けたガイド２の棒材２３が挿入されており、棒材２３のパネル枠１からの突出長さを調節することによってコイルスプリング４の圧縮量を調節して弾発力を調整することができる。棒材２３の先端のゴム２４は、外枠３でコイルスプリング４を圧縮した際、棒材２３が外枠３に設けた凹部３１の底部を押圧して変形させないようにしている。
【００１２】
パネル枠１と外枠３を結ぶラチェットからなるストッパー６が設けてあり、外枠３をパネル枠に向かって押してコイルスプリング４を圧縮した状態に維持し、コイルスプリング４の弾発力によって外枠３が戻るのを阻止する。間仕切り壁を所定の位置に設置し、ストッパー６のラチェットを解放すると外枠３はコイルスプリング４の弾発力によって外方に付勢され、天井や床または側壁部に外枠３が押し付けられ、間仕切り壁が固定される。
弾性材４はコイルスプリングだけでなくリーフスプリングや皿バネをパネル枠１若しくは外枠に固定することによっても同様の作用が得られる。
図２に示すように、パネル枠１の両面には、石膏ボードなどのパネル１５を貼り付けてある。
パネルの隙間からの音漏れを防止するためには、パネルの周縁に遮音シート１６を設ける。
【００１３】
本発明の間仕切り壁の据え付作業の手順は、パネル枠１と外枠３を組み立て、外枠３に押圧力を加えて外枠３をコイルスプリング４等の弾性材の弾発力に抗してパネル枠１近づけて、高さまたは幅を狭くした状態をストッパー６で固定する。コイルスプリング４は圧縮され、外枠３を外方に付勢する状態である。
間仕切り壁を設置場所に直立させ、ストッパー６を解放すると、外枠３がコイルスプリング４の弾発力によって床と天井、若しくは側方に押し出されて間仕切り壁が強固に固定される。
【００１４】
図４に示すものは、開口５を有する間仕切り壁の例であり、パネル枠１の外側に間隔をおいて外枠３を設けることは実施例１と同じである。図示のように間仕切り壁の右側半分が開口５であり、この部分の下側にはパネル枠も外枠も設けていない。この開口５にドアを設けることによって、出入り口を設けた間仕切り壁とすることができる。
外枠は、仕切り壁を固定するためには少なくとも一つあれば十分であり、パネルの各辺に設ける必要はない。必要な固定力に応じて外枠の数を決定する。
【図面の簡単な説明】
【００１５】
【図１】本発明の間仕切り壁の正面図。
【図２】本発明の間仕切り壁の平面図。
【図３】ガイドの詳細図。
【図４】開口を設けた間仕切り壁の正面図。
【符号の説明】
【００１６】
１    パネル枠
１０  桟
１２  貫通穴
２    ガイド
３    外枠
３０  摩擦材
３１  穴
４    コイルスプリング
５    開口
６    ストッパー
【図１】
0004922243.tif 000002
【図２】
0004922243.tif 000003
【図３】
0004922243.tif 000004
【図４】
0004922243.tif 000005